Podtech/llm-jp-corpus-v4-ja_patent huggingface dataset:
(57)【要約】      （修正有）【課題】球状体を自由に回転させ回転時の抵抗を軽減することができる構造をもつ、単一もしくは複数連結した球状体を着脱できるマッサージャーを提供する。【解決手段】球状体２を先端が内側に窄まった保持部ｂに圧入し、さらに球状体２を先端が丸みを持つ円筒状の下部保持部分ａにて支えることで、球状体２を自由に回転させることができる。球状体を着脱できるマッサージャー２０は保持部底面３を平らにすることにより自立し、単体で転がらないようにした。さらに、複数同時マッサージを可能にするため、連結部品４に取り付けることにより複数同時マッサージを可能とする。【選択図】図５
0003172173.tif 000002
【実用新案登録請求の範囲】
【請求項１】
球状体を先端が内側に窄まった保持部に圧入し、さらに当該球状体を先端が丸みを持つ円筒状の下部保持部分にて支えることで、当該球状体を自由に回転させることができる球状体を着脱できるマッサージャー。
【請求項２】
連結部品を用いて請求項１の球状体を着脱できるマッサージャーの複数個を嵌合した球状体を着脱できるマッサージャー。
【考案の詳細な説明】
【技術分野】
【０００１】本考案は、球状体を装着し、肌の上を転がしたり移動することにより球状体を自由に回転させることでマッサージすることができる球状体を着脱できるマッサージャーに関するものである。
【背景技術】
【０００２】従来構造では、保持部内面と球状体との接触面積が広かったため、球状体が滑らかに回転することができなかった。また、保持するものが球状体であるため、保持部形状が丸みをおび転がりやすかった。さらに、球状体を着脱できるマッサージャーを複数連結して構成したものはなかった。
【考案の概要】
【考案が解決しようとする課題】
【０００３】球状体を装着するマッサージャーは、球状体の接触面積が広いと球状体が滑らかに回転しない問題があった。また、球状体を装着しているため、外形が丸みをおび不使用時に机等に置いたときに転がってしまうという問題があった。さらに、球状体を着脱できるマッサージャーを連結して使用するものがなかった。
【課題を解決する為の手段】
【０００４】そこで、本考案は、以上の課題を解決すべく球状体（２）を滑らかに回転させ回転時の抵抗を軽減することができる構造をもち、単体で自立でき転がらない球状体を着脱できるマッサージャー（１０）とし、球状体を着脱できるマッサージャー（１０）を複数連結する連結部品を用いて課題を解決する。
【０００５】本考案は、球状体（２）を先端が内側に窄まった保持部（ｂ）に圧入し、さらに球状体（２）を先端が丸みを持つ円筒状の下部保持部分（ａ）にて支えることで、球状体（２）を自由に回転させる。
【０００６】保持部底部（３）は平らとし、平らな部分を下に置くことで球状体を着脱できるマッサージャー（１０）が転がったり滑ってしまうことを防ぐ。
【０００７】連結部品（４）に複数の球状体を着脱できるマッサージャー（１０）を嵌合させる部分を設け、複数部をマッサージできる構造の球状体を着脱できるマッサージャー（２０）を実現する。
【０００８】球状体を着脱できるマッサージャー（２０）に装着している球状体は、保持部（１）及び連結部品（４）に連通する孔から球状体（２）を押出すことで球状体（２）を取りだす。
【考案の効果】
【０００９】本考案により、球状体（２）を先端が内側に窄まった保持部（ｂ）に圧入しさらに球状体（２）を先端が丸みを持つ円筒状の下部保持部分（ａ）にて支えることで、球状体（２）を自由に回転させることができる。
【００１０】不使用時は、保持部底面（３）を平らとし、底面を下にして置くことにより転がらず安定して自立静止することができる。
【００１１】また、複数同時マッサージを行う場合は、複数連結する連結部品（４）を使用することにより、簡単に複数同時マッサージが可能になる。
【００１２】さらに球状体（２）を着脱することができ、球状体（２）を球技用の玉として使用することができる。
【図面の簡単な説明】
【００１３】
【図１】本考案に係る球状体を着脱できるマッサージャー外観図。
【図２】本考案に係る球状体を着脱できるマッサージャーの断面図。
【図３】本考案に係る球状体を着脱できるマッサージャーを連結して使用するマッサージャーの連結部品の外観図。
【図４】球状体を着脱できるマッサージャーを複数連結した球状体を着脱できるマッサージャー正面図。
【図５】球状体を着脱できるマッサージャーを複数連結した球状体を着脱できるマッサージャーの部分断面図（Ａ−Ａ）
【符号の説明】１  保持部
２  球状体
３  保持部底面
４  連結部品
１０  球状体を着脱できるマッサージャー
２０  球状体を着脱できるマッサージャーを複数着脱できるマッサージャー
ａ  先端が丸みを持つ円筒状の下部保持部分
ｂ  先端が内側に窄まった保持部分
【図１】
0003172173.tif 000003
【図２】
0003172173.tif 000004
【図３】
0003172173.tif 000005
【図４】
0003172173.tif 000006
【図５】
0003172173.tif 000007
(57)【要約】      （修正有）【課題】一度に多くのゴミを収集・運搬するための大型ちり取りを提供する。【解決手段】高さ２５ｃｍ、底板３５ｃｍ×５５ｃｍ、上底３５ｃｍ（４５ｌのゴミ袋に入る大きさ）台形型箱１０の天板部分に、両側面板１を繋ぐＨ状の持ち手２を取り付け、奥板の上部から７ｃｍカットして隙間を開けて（持ち手を握る際に腕がぶつからないため）、大量のゴミ収集作業ができる大型ちり取りを形成する。【選択図】図１
0003172175.tif 000002
【実用新案登録請求の範囲】
【請求項１】
高さ２５ｃｍ・底板３５ｃｍ×５５ｃｍ・上底３５ｃｍの台形型箱の天板部分に、Ｈ状の持ち手を、両側面板の上部に面を合わせ取り付け、奥板の上部に７ｃｍ巾の隙間を開けたゴミ収集ができる大型ちり取り。
【考案の詳細な説明】
【背景技術】
【０００１】  建築現場・公園の清掃・落ち葉清掃・災害時の瓦礫片付け等、ゴミは人の手で集めてコンテナや廃材処理場まで袋詰めして運びます。最後の収集は機械で処理運搬しますが、この人の手でのゴミ収集にとても労力を費やす為に、一度に多くのゴミを収集運搬できるようにと考案いたしました。
【考案を実施するための最良の形態】
【０００２】  高さ２５ｃｍ・底板３５ｃｍ×５５ｃｍ・上底３５ｃｍ（４５ｌのゴミ袋に入る大きさ）台形型箱１０の天板部分に、両側面板１を繋ぐＨ状の持ち手２を取り付け、奥板３の上部から７ｃｍカットして隙間４を開けた（持ち手を握る際に腕がぶつからないため）、大量のゴミ収集作業ができる大型ちり取り。
【図面の簡単な説明】
【０００３】
【図１】  本考案にかかる大型ちり取りの全体図。
【図２】  本考案にかかる大型ちり取りの後方側面図。
【符号の説明】
【０００４】大    型    ち    り    取                          １０
台  形  型  箱  の  側  面  板                        １
Ｈ    状    の    持    ち    手                      ２
台  形  型  箱  の  奥  板                            ３
台形型箱の奥板７ｃｍの隙間                            ４
台  形  型  箱  の  底  板                            ５
Ｈ状の持ち手固定ビス                                  ６
【図１】
0003172175.tif 000003
【図２】
0003172175.tif 000004
(57)【要約】      （修正有）【課題】手押しハンドルの軸支取り付けが、十分な強度を保ちながら容易に安定して行えるとともに、かつ、回動がスムーズにできる構造を有した手押し台車を提供する。【解決手段】台板２の下面の前後部にキャスターが取り付けられるとともに、台板２の後部に金属製パイプよりなる手押しハンドル３０が起倒可能に設けて手押し台車を構成する。さらに、手押しハンドル３０の両端部分に補強用金属パイプ３３を内嵌するとともに、その内嵌された部分が押圧されることで扁平部４０とされ、その扁平部４０において台板２の後部に回転可能に軸支されて取り付けられてなる。【選択図】図５
0003172174.tif 000002
【実用新案登録請求の範囲】
【請求項１】
台板の下面の前後部にキャスターが取り付けられるとともに、前記台板の後部に金属製パイプよりなる手押しハンドルが起倒可能に設けられた手押し台車において、
前記手押しハンドルの両端部分に補強用金属パイプが内嵌されるとともに、その内嵌された部分が押圧されることで扁平部とされ、その扁平部において前記台板の後部に回転可能に軸支されて取り付けられてなることを特徴とする手押し台車。
【請求項２】
非使用時に前記手押しハンドルが前記台板の側下部に配置される請求項１記載の手押し台車。
【考案の詳細な説明】
【技術分野】
【０００１】  この考案は、手押し台車において起倒可能に設けられる手押しハンドルの取り付け構造に関する。
【背景技術】
【０００２】  工場や倉庫において、また、宅配業務や引越し作業において、物品の搬送に手押し台車が汎用されている。この種の手押し台車として、手押しハンドルが起倒可能で非使用時に台板上や台板の側下部に納められてコンパクトな形態となり、その持ち運びが容易に行えるとともに、台車の収納が広い場所を取るとることなく行えるタイプのものがある。
【考案の概要】
【考案が解決しようとする課題】
【０００３】  上記台車の手押しハンドルはその両端部が台板の後部に回転可能に軸支されて取り付けられるが、通常手押しハンドルは金属製の丸パイプであって取り付け板への軸支取り付け面が曲面となるので安定して軸支固定が行いにくく、また、その部分での回動がスムーズになされないという問題があった。この問題を解消すべく、従来においてはその取り付け箇所に別途取り付け金具を介在させることが行われているが、その構成では別途部材が必要となるとともに組み立て作業に手間がかかった。また、一方においては、非使用時に手押しハンドルを台板上や台板の側下部に納めた状態では丸パイプの端部が後方に露呈して見栄えが悪いという問題もあった。【０００４】  この考案は上記の点に鑑みて行ったもので、手押しハンドルの軸支取り付けが容易に安定して行えるとともに、かつ、回動がスムーズにできるようにすることを目的とする。
【課題を解決するための手段】
【０００５】  この考案では、台板の下面の前後部にキャスターが取り付けられるとともに、前記台板の後部に金属製パイプよりなる手押しハンドルが起倒可能に設けられた手押し台車において、前記手押しハンドルの両端部分に補強用金属パイプが内嵌されるとともに、その内嵌された部分が押圧されることで扁平部とされ、その扁平部において前記台板の後部に回転可能に軸支されて取り付けられてなる構成とした。【０００６】  上記構成によれば、手押しハンドルの両端部分の扁平部が取り付け面に沿う状態、すなわち、面接触する状態において回動可能に取り付けられることで、その取り付け構造が安定するとともに、また、その回動動作もスムーズになされる。扁平部は金属製パイプに補強用パイプが内嵌された状態で形成されているので強度も十分に保たれている。また、手押しハンドルが水平に納められる非使用時の状態でその端部に円形開口が見えないので見栄えが良く、かつ、そこに丸パイプ端が存在しないことでその取扱いも容易となる。【０００７】  この考案の手押し台車は、手押しハンドルが起倒可能で非使用時に台板上や台板の側下部に納められる両方のものにおいて適用される。
【考案の効果】
【０００８】  この考案によれば、手押しハンドルの軸支取り付けが容易に安定して行えるとともに、その回動をスムーズにできるようになり、かつ、その取り付け部分は十分な強度を保つものとなる。
【図面の簡単な説明】
【０００９】
【図１】  この考案の手押し台車の実施形態の側面図
【図２】  この考案の手押し台車の実施形態の平面図
【図３】  この考案の手押し台車の実施形態の背面図
【図４】  この考案の手押し台車の実施形態の非使用時の側面図
【図５】  この考案の手押し台車の実施形態の要部拡大斜視図
【図６】  この考案の手押し台車の実施形態の要部拡大断面図
【好ましい実施形態】
【００１０】  図１はこの考案の手押し台車の側面図、図２は同平面図、図３は同背面図である。手押し台車１は平面形状が長方形（９０×６０ｃｍ）のプラスチック製台板２の下面の四隅近傍にキャスター４のそれぞれが取り付けられるとともに、台板２後部に金属製パイプよりなる手押しハンドル３０が矢印方向において起倒可能に設けられており、手押しハンドル３０は非使用時には後方に倒されて回転され、図４に示すように、台板２の側下部に位置するようになっている。
【００１１】  ３２のそれぞれは手押しハンドル３０の端部３１それぞれが回転可能に軸支される取り付け板であり、台板２の後部下面に固定されて取り付けられている。３４は係止ロッドであり両端近傍がコイルバネ３５それぞれを介して取り付け板３２の内面に突出する凸部３６に取り付けられ、その端部３７それぞれが取り付け板３２それぞれの係止凹部３９それぞれに弾力的に係止することで、手押しハンドル３０はその使用時（図１）及び非使用時（図４）の状態が維持されるようになっている。
【００１２】  図５、図６を参照して手押しハンドル３０の端部３１の取り付け板３２への取り付け構造を説明する。手押しハンドル３０の端部３１を構成する金属製丸パイプ（直径略３ｃｍ）の端部には約２０ｃｍ長さの補強用パイプ３３が内嵌されるとともに、その内嵌された部分の大半が片側から（矢印方向に）押圧されることで扁平部４０とされ、その扁平部４０が取り付け板３２面に沿うように配置されて軸支ピン４１により回動可能に取り付けられている。
【００１３】  上記のように扁平部４０が取り付け板３２面に沿う状態、すなわち、面接触する状態において回動可能に取り付けられることで、その取り付けが安定してなされ、また、その回動動作もスムーズになされる。扁平部４０は補強用パイプ３３が内嵌された状態で形成されているので強度も十分に保たれている。また、その手押しハンドル３０が非使用時（図４）の状態では端部３１の円形開口が見えないので見栄えが良く、かつ、そこに丸パイプ端が存在しないことでその取扱いも容易となる。
【符号の説明】
【００１４】１    手押し台車
２    台板
４    キャスター
３０  手押しハンドル
３３  補強用パイプ
４０  扁平部
【図１】
0003172174.tif 000003
【図２】
0003172174.tif 000004
【図３】
0003172174.tif 000005
【図４】
0003172174.tif 000006
【図５】
0003172174.tif 000007
【図６】
0003172174.tif 000008
(57)【要約】      （修正有）【課題】電源供給元と電気製品の間に遠隔操作式の電気開閉器を配し、通電開閉の制御を遠隔で可能にさせる遠隔操作式電気開閉器を提供する。【解決手段】電気製品と電源供給元の間に遠隔操作で行う電気開閉器を配することによって、電気製品のスイッチを「入」にした状態であっても当該電気製品への通電を遠隔で制御でき、とりわけ体の不自由者には楽になる。さらには使用する時間が安易に長くなることの機会を減らし省電力にもつながる。また遠隔操作式の電気開閉器の作動時には必ず遮断タイマーの機能を設定することによって、切り忘れなどによる事故の防止にも役立つ。【選択図】図３
0003172172.tif 000002
【実用新案登録請求の範囲】
【請求項１】
建物における電源供給配線に際し、配電盤と電源供給元のコンセントとの間に遠隔操作できる電気開閉器を配した、「遠隔操作式電気開閉配線装置」
【請求項２】
電気製品への電力供給に用いる延長コード形態のもので、電源供給用の差し込みプラグと電気製品へ電力を供給するコンセントとの中間に遠隔操作できる電気開閉器を配した、「遠隔操作式電気開閉配線装置」
【考案の詳細な説明】
【技術分野】
【０００１】本考案は、電気製品と電源供給元の間を接続する電気回路の配線装置に関するもので、遠隔操作式の電気開閉器との組み合わせによるものである。
【背景技術】
【０００２】従来のコンセント等の電源供給は配電盤を通じ絶えず電流が流れている。したがって電気製品への通電の制御は、その製品の本体部に設けられたスイッチ装置で行う。扇風機や電気ストーブなどのスイッチ操作で、体の不自由な使用者はその電気製品のところまで行くのに困難が生じ、当該電気製品のスイッチが「入」状態が続く機会が生じ、結果として無駄に電力を消費しかねない。また使用中の電気製品の切り忘れによる長時間の使用での事故の危険性もあった。
【考案の概要】
【考案が解決しようとする課題】
【０００３】扇風機や電気ストーブ等、使用者とは一定の距離をおいて使用する電気製品のスイッチの「入」「切」の操作には、その設置場所までの移動が伴う。特に体の不自由な使用者は、当該電気製品への通電のスイッチ操作に困難が生じている。また切り忘れによる電力の無駄な消費、および事故などもありその解決を課題とする。
【課題を解決するための手段】
【０００４】電源供給元と電気製品の間に遠隔操作式の電気開閉器を配した回路の配線し、中間で通電開閉の制御を遠隔で可能にさせる。当該電気製品のスイッチを「入」状態にしておき、中間の遠隔操作式の電気開閉器を操作することによって、当該電気製品への通電を遠隔で開閉の制御ができるようにする。また電気開閉器にタイマー機能を付加すれば過通電による電力エネルギーの浪費や事故の発生を減少させる。
【考案の効果】
【０００５】電気製品のへの通電制御が本考案により遠隔から可能になり、使用の長時間化による電力の消費を減少させる。しかも間に配置した電気開閉器に遮断タイマーが働くよう設定すれば長時間の通電による事故も未然に防ぐことができる。第１考案のように室内の通常の電源コンセントとは別に遠隔操作の電流開閉器を壁などへの設置式にすれば、どの場所からも当該電気製品への通電制御ができる。また複数の装置を配しリモートコントロール受光部を壁や天井などの一か所にまとめて配置すれば、従来にない便利で安全なまったく新しい家電のライフスタイルを創生できる。第２考案は第１考案の機能を独立させ延長コード的な使用形態にし、同じ効果をもたせたものである。
【図面の簡単な説明】
【０００６】
【図１】第１考案の基本的な実施例を示す斜視図
【図２】第１考案の基本的な断面図
【図３】第２考案の基本的な実施例を示す斜視図
【産業上の利用可能性】
【０００７】電気製品の事故、とりわけ暖房器具の長時間の使用によるものがかなり発生しているが、本考案の遠隔操作式電気開閉装置を設置することにより、当該電気製品のスイッチ操作の利便性もさることながら、作動時には一定時間で「閉」にするタイマー機能を設けることによって通電の自動遮断が行え、省電力と電気製品での事故防止との両面で効果が望める。健常者にもこの上なく便利であるが、とりわけ介護の分野での効果的な使用方法が望める。
【符号の説明】
【０００８】１は電源供給元のコンセント
２は中間の遠隔操作式電気開閉器への入力電気コード
３は中間の遠隔操作式電気開閉器からの出力電気コード
４は中間の遠隔操作電気開閉器
５は遠隔操作のリモートコントローラー
６は電気製品への電源供給コンセント
【図１】
0003172172.tif 000003
【図２】
0003172172.tif 000004
【図３】
0003172172.tif 000005
(57)【要約】      （修正有）【課題】家庭内にて遺骨・遺灰を保管可能な本格的ペット用ミニチュア亀甲墓を提供する。【解決手段】墓本体１に遺骨・遺灰収納室を設け、上部から亀甲墓を模した蓋２にて封をする。木材・プラスチック等の心材への漆喰塗りまたは石材、ガラスで構成することにより、遺骨・遺灰を家庭内の湿気、水等から守る。【選択図】図１
0003172171.tif 000002
【実用新案登録請求の範囲】
【請求項１】
沖縄の亀甲墓を模した、木材に内外共に漆喰塗りした素材または石材、ガラス素材を用い、防水・防湿対策を行ない、家庭内に設置可能な大きさにした、亡くなったペットと飼い主の絆のシンボルとなるペット用家庭内設置ミニチュア亀甲墓。
【考案の詳細な説明】
【技術分野】
【０００１】本考案は古くから使用されてきた建築素材であり、沖縄の亀甲墓にも用いられてきた漆喰や石材、そして質感の高いガラス素材等を用いた猫、犬などのペットの遺骨を収納し、家庭内にて保管可能な本格的ペット用ミニチュア亀甲墓である。
【背景技術】
【０００２】従来ペットが死亡すると、庭などへの直接埋葬が行われてきていたが、現在は動物専用の火葬場も一般的になってきたため、荼毘に付す飼い主も増えてきた。近年は、ペットの家庭内における地位の向上が見られ、生前だけでなく死後においても家族同様に扱いたいという要望が強まり、世界各国でペットを家族の一員として丁重に葬るようになってきている。
現在日本では、ペット用の霊園に葬る、庭などに埋葬、骨壺等に納めて仏壇に設置等の方法が採られている。
【考案の概要】
【考案が解決しようとする課題】
【０００３】ペット用霊園への納骨は高価であり、ペット愛好家の全てがこれらの施設を利用する事は不可能である。【０００４】また、庭への埋葬については、国土の狭い日本においては大多数が借家及び庭の無い家で有るため、ペットを埋葬することが出来ない。【０００５】また、骨壺等に納めて供養といった簡易な方式では、死後もペットと寄り添いたいといった飼い主のペットに対する想いに答えられているとは言い難い。【０００６】家庭内での遺骨・遺灰の保管において、最近では空調がある家庭が増えてきたが、それでも湿気によるカビの問題が存在する。
【課題を解決するための手段】
【０００７】本考案は家庭内で設置可能なサイズ（高さ  約１０ｃｍ×幅  約１４ｃｍ）であるため、ペット用霊園への納骨または庭などへ埋葬する必要がない。【０００８】本考案の素材は本物の亀甲墓にも使われている漆喰や石材、そして質感の高いガラス素材等を用いて成形し、飼い主のペットに対する最後の愛情を注ぐに相応しい質感を持っている。【０００９】「人は亡くなったら再び母親の胎内に戻る」といういわれに基づいて、女性の子宮を象った母体回帰の思想を元に造られた沖縄の亀甲墓は、母体より再び生まれ変わるためのシンボルであり、本考案のペット用ミニチュア亀甲墓も飼い主とペットが再び出会うためのシンボルとなる。【００１０】このため、飼い主がペットと再会出来るモニュメントとして、死後も愛情を注ぐ対象に相応しい形状を持っている。【００１１】本考案を構成する漆喰は調湿機能および防水性を持ち、石材及びガラス素材は防水性を持つ。そして、密封出来る形状を保っているため、カビ対策だけでなく、家庭内における不意の水に関する事故においてもその効果を発揮する
【考案の効果】
【００１２】本考案に係る請求項１記載のペット用ミニチュア亀甲墓は、実際の亀甲墓にも使用されている漆喰や石材、そして質感の高いガラスを素材としているため、亡くなったペットを供養するのに相応しい本格派のモニュメントとなる。このペット用ミニチュア亀甲墓に亡きペットを納め供養することにより、ペットといつまでも一緒にいる気持ちにさせ、ペットロスに遇った飼い主の気持ちを安らかにする効果を持つ。
また、漆喰、石材、ガラスを素材に用いた事による防水効果を持ち、家庭内での不意な水関係の事故や、密封される形状によるカビなどの湿気に関する問題からペットの遺骨・遺灰を保護することが可能である。
【実施例】
【００１３】以下、添付図面に従って一実施例を説明する。１は木材またはプラスチック素材を漆喰塗りした素材または、石材、ガラス等で成形した遺骨・遺灰を納める墓本体、２は墓本体の蓋で、素材は１同様木材に漆喰塗りした素材または、石材、ガラス等で成形し、亀甲墓の形状を模している。３、４は１同様に木材に漆喰を塗りした素材または、石材、ガラス等で成形し、１の左右に並べ、亀甲墓の形状を形作る部品となる。６は木材に漆喰塗りした素材または、石材、ガラス等で成形した線香立を置く台、５は石材、陶器またはガラスで作られた線香立で６の上に設置する。
【図面の簡単な説明】
【００１４】
【図１】本考案のペット用ミニチュア亀甲墓の一実施例を示す正面図である。
【図２】本ペット用ミニチュア亀甲墓の左側面図である。
【図３】本ペット用ミニチュア亀甲墓の右側面図である。
【図４】本ペット用ミニチュア亀甲墓の上面図である。
【図５】本ペット用ミニチュア亀甲墓の断面図である。
【符号の説明】
【００１５】１  ペット用ミニチュア亀甲墓本体
２  ペット用ミニチュア亀甲墓蓋
３  左側ペット用ミニチュア亀甲墓飾り
４  右側ペット用ミニチュア亀甲墓飾り
５  線香立
６  線香立台
【図１】
0003172171.tif 000003
【図２】
0003172171.tif 000004
【図３】
0003172171.tif 000005
【図４】
0003172171.tif 000006
【図５】
0003172171.tif 000007
(57)【要約】      （修正有）【課題】方眼を容易に描く事の出来る定規を提供する。【解決手段】定規に基線から平行線（１６本）の溝を彫り、溝にそって線を描き、定規を９０度回転させ基線から１６本の溝にそって線を描く事によって方眼を描くことができる。１６本溝を彫った定規は、方眼を容易に描くことが出来る。【選択図】図１
0003172136.tif 000002
【実用新案登録請求の範囲】
本考案は定規に（Ｒ）印の基線から平行線（１６本）の溝を彫り溝にそって線を描き、定規を９０度回転させ（Ｐ）印線より１６本の溝にそって線を描く    よって方眼を描くことができる。
【考案の詳細な説明】
【技術分野】本考案は（Ｐ）印の基線に平行１６本の溝を設けた定規に関する物である。
【背景技術】今まで学校等で算数及び数学を学ぶとき（１次関数及び２次関数を描くとき）ノートの他、方眼紙を用いて学んでいます。
【考案の概要】
【考案が解決しようとする課題】算数及び数字等で１次関数、及び２次関数を学ぶとき今はノートと方眼紙が必要です，
学ぶのに（二重の記述が必要）負担に成り、知識が緩慢になる。
この定規を使用することによって知識が集中する事が出来き、数学の知識が上がる。
【課題を解決するための手段】本考案は定規に（Ｒ）印の基線から平行線（１６本）の溝を彫り溝にそって線を描き、定規を９０度回転させ（Ｐ）印線より１６本の溝にそって線を描く    よって方眼を容易に描くことができる。
【考案の効果】本考案の１６本溝の彫った定規は、方眼を容易に描くことが出来る。
【図面の簡単な説明】１．定規正規の位置
２．９０度回転した位置
３．方眼を描く
0003172136.tif 000003
【手続補正書】
【提出日】平成23年9月9日(2011.9.9)
【手続補正１】
【補正対象書類名】実用新案登録請求の範囲
【補正対象項目名】全文
【補正方法】変更
【補正の内容】
【実用新案登録請求の範囲】
【請求項１】
方眼を描く定規であって、定規表面に基線、を書き、表面基線において平行な１６本の溝及び基線と直交する線を設けたことを特徴とする定規
【手続補正２】
【補正対象書類名】明細書
【補正対象項目名】全文
【補正方法】変更
【補正の内容】
【考案の詳細な説明】
【技術分野】基線を描き、基線に対して定規を９０度回転させ１６本の線を描く事によって方眼を描く事が出来る定規。
【背景技術】今まで学校で算数及び数学を学ぶ時（１次関数及び２次関数を描くとき）ノートの他，方眼紙を用いて学んでいます。
【考案の概要】
【考案が解決しようとする課題】算数及び数学で１次関数、及び２次関数を学ぶとき今はノートと方眼紙が必要です
学ぶのに２重の負担に成り、知識が緩慢に成る、この定規を使用することによって知識が集中する事が出き数学の知識が上がる。
【課題を解決するための手段】本考案は基線を描き、基線に対して定規を９０度回転させ１６本の線を描く事によって方眼を描く事が出来る定規。
【図面の簡単な説明】
【図１】  まず１６本の基線を描きます。
【図２】  定規を９０度回転し基線と直交する１６本の線を描きます。
【図３】  「図１」と「図２」を合わせて描いた軌跡です。
【手続補正３】
【補正対象書類名】図面
【補正対象項目名】全図
【補正方法】変更
【補正の内容】
【図１】
0003172136.tif 000004
【図２】
0003172136.tif 000005
【図３】
0003172136.tif 000006
(57)【要約】【課題】コーナーの空間を有効に利用、活用でき、住宅の耐震を向上させることができるコーナー設置型収納家具を提供する。【解決手段】コーナー設置型収納家具２０は、コーナーを形成する第１の壁及び第２の壁にそれぞれ接する第１の側板２及び第２の側板３と、第１の側板２及び第２の側板３の上部に配置された天板１と、第１の側板２及び第２の側板３の下部に配置された底板９と、天板１及び底板９との間に配置される複数の仕切り板５、６とからなる。【選択図】図３
0003172138.tif 000002
【実用新案登録請求の範囲】
【請求項１】
コーナーを形成する第１の壁及び第２の壁にそれぞれ接する第１の側板及び第２の側板と、
前記第１の側板及び第２の側板の上部に配置された天板と、
前記第１の側板及び第２の側板の下部に配置された底板と、
前記天板及び前記底板との間で上下方向に間隔を空けて配置される複数の仕切り板とからなることを特徴とするコーナー設置型収納家具。
【請求項２】
前記複数の仕切り板の間に、前記第１の側板及び前記第２の側板を互いに連結する連結部材を更に有することを特徴とする請求項１記載のコーナー設置型収納家具。
【考案の詳細な説明】
【技術分野】
【０００１】  本考案は壁面コーナー部に設置されるコーナー設置型収納家具に関する。
【背景技術】
【０００２】  従来のコーナー設置型収納家具として、特許文献１に記載されたものが知られている。このコーナー設置型収納家具は、部屋のコーナー部に設置される家具ユニットと家具ユニットに隣接して、一方のコーナー壁に設置される棚ユニット等を有している。
【先行技術文献】
【特許文献１】特開２００２−３４６７０号公報
【考案の開示】
【考案が解決しようとする課題】
【０００３】  ところが、従来のコーナー設置型収納家具は床面から天井までを有効に活用されていなかった。
また、単にコーナー部に設置されているだけで、耐震性は考慮されてなかった。
そこで本考案は、床面から天井までの空間を効率よく利用、活用でき、更に耐震性を向上させたコーナー設置型収納家具を提供することを目的とする。
【考案を解決するための手段】
【０００４】  請求項１記載の考案は、コーナーを形成する第１の壁及び第２の壁にそれぞれ接する第１の側板及び第２の側板と、
前記第１の側板第２の側板の上部に配置された天板と、
前記第１の側板第２の側板の下部に配置された底板と、
前記天板及び底板との間で上下方向に間隔を空けて配置される複数の仕切り板とからなることを特徴とする。
【０００５】  請求項２記載の考案は、前記複数の仕切り板の間に、第１の側板及び前記第２の側板を互いに連結する連結部材を更に有することを特徴とする。
【考案の効果】
【０００６】  本考案によれば、床面から天井までの空間を効率よく利用、活用出来るので仕切り板にお気に入りの小物をディスプレイできる。
また、第１の側板及び第２の側板を互いに連結する連結部材（火打ち）が設けられているので耐震性が向上する。
更に、本考案のコーナー設置型収納家具が備えつけられた住宅の耐震性が向上する。
【考案を実施するための形態】
【０００７】  続いて、添付した図面を参照しつつ、本考案を具体化した実施の形態につき説明する。
本考案の一実施の形態に係るコーナー設置型収納家具（２０）は、第１の側板（２）及び第２の側板（３）と、第１の側板（２）第２の側板（３）の上部に配置された天板と、第１の側板（２）第２の側板（３）の下部に配置された底板（９）とを備えている。
第１の側板（２）及び第２の側板（３）は、それぞれ床（Ｗ３）から天井（Ｗ４）まで延びている。また第１の側板（２）及び第２の側板（３）はコーナーを形成する第一の壁（Ｗ１）及び第２の壁（Ｗ２）に密着して固定して設置される。また、第１の側板（２）及び第２の側板（３）のコーナー側の端部には、背面側板（４）が設けられている。この背面側板（４）は、第１の側板（２）及び第２の側板（３）と同様、床（Ｗ３）から天井（Ｗ４）まで延びている。第１の壁（Ｗ１）第２の壁（Ｗ２）及び背面側板（４）との間には三角柱状の空間（Ｓ）が形成される。
天板（１）は天井Ｗ４に密着している。底板（９）は床（Ｗ３）に密着している。ただし、必ずしも、天板（１）及び底板（９）は、それぞれ天井（Ｗ４）と床（Ｗ３）に密着していなくても良い。
【０００８】  また、コーナー設置型収納家具は、第１の仕切り板（５）及び第２の仕切り板（６）を備えている。この第１の仕切り板（５）及び第２の仕切り板（６）は、それぞれ天板（１）及び底板（９）の間で上下方向に間隔を空けて配置される。
【０００９】  更に、コーナー設置型収納家具（２０）は、連結部材（７）を有している。この連結部材（７）は、第１の仕切り板（５）及び第２の仕切り板（６）の間に形成される空間に配置され、第１の側板（２）及び第２の側板（３）を互いに連結することができる。なお、連結部材（７）は、天板（１）と第１の仕切り板（５）との間に形成される空間に配置しても良い。
コーナー設置型収納家具（２０）の第２の仕切り板（６）と底板（９）との間に形成される空間の前面側には、ガラス戸（８）が設けられている。この空間の内部には、例えば、ＤＶＤ等のオーディオ機器を収納することができる。
背面側板（４）には穴が形成されており、この穴にオーディオ機器の電気コードを通して、空間（Ｓ）に電源プラグを出すことができる。
【００１０】  本実施の形態によれば、仕切り板により構成された棚が床から天井まで形成されるので空間を効率よく利用、活用できる。
また、連結部材（７）が設けられているので耐震性が向上する。
更に、第１の側板（２）、第２の側板（３）、天板（１）及び底板（９）が、それぞれ第１の壁（Ｗ１）、第２の壁（Ｗ２）、天井（Ｗ４）及び床（Ｗ３）に密着しているので、住宅のねじれが軽減され、住宅自体の耐震性が向上する。
【図面の簡単な説明】
【００１１】
【図１】コーナー設置型収納家具の設置状態を示す平面図である。
【図２】コーナー設置型収納家具の正面図である。
【図３】コーナー設置型収納家具の斜視図である。
【符号の説明】
【００１２】１    天板
２    第１の側板
３    第２の側板
４    背面側板
５    第１の仕切り板
６    第２の仕切り板
７    連結部材
８    ガラス戸
９    底板
２０  コーナー設置型収納家具
Ｗ１  第１の壁
Ｗ２  第２の壁
Ｗ３  床
Ｗ４  天井
Ｓ    空間
【図１】
0003172138.tif 000003
【図２】
0003172138.tif 000004
【図３】
0003172138.tif 000005
(57)【要約】【課題】ソフトクリームやソフトアイス、ジェラードなどの可食コーンカップで提供される冷菓に添付されることがある使い捨てスプーンを食べられるものにして、ゴミを減らす。【解決手段】可食コーンカップの生地をスプーン型（あるいはフォーク型やコテ型）に成形する。いま現在、プラスチック製や木製の使い捨てスプーンが提供されている店舗でこれらの代わりに使用されるとゴミは可食コーンカップとスプーンのスリーブだけになり、減量される。ほかにもクッキーや瓦せんべい、米菓のせんべい、飴、コーンチップなどを同様に成形すれば、各冷菓の味に合った食べられる食器兼トッピングとして新たな味の組み合わせが期待できる。素材によっては補強が必要。いずれも1本ごとにスリーブを付ける。【選択図】図１
0003172139.tif 000002
【実用新案登録請求の範囲】
【請求項１】
この案の公開後、既存の素材＝可食コーンカップ、クッキー（瓦せんべい等も含む）、米菓（せんべい、おかき）、飴、コーンチップなどをスプーン型やフォーク型、コテ型に成形し、冷菓や柔らかい食品向けに、食べられる食器として一般に提供・販売を始めたもの
【考案の詳細な説明】
【先行技術文献】
【非特許文献】
【０００１】
【非特許文献１】藤野真紀子著「わたしのお菓子スペシャリテ」p２７  学研  2001年3月
【考案の概要】
【考案が解決しようとする課題】
【０００２】
ソフトクリームやソフトアイス、ジェラードなどの「可食コーンカップで提供される冷菓」に添付される使い捨てのスプーンを食べられるものにし、ゴミを減らす。
【課題を解決するための手段】
【０００３】
可食コーンカップの生地をスプーン型（またはフォーク型やコテ（１）型）に成形する。ほかに既存のクッキー（瓦せんべい等も含む）や米菓（おかきやせんべい等）、飴、コーンチップ（2）などをスプーン型（フォーク型やコテ型）に成形する。いずれも可食コーンカップと同様に１本ずつにスリーブ（３）を付ける。
【考案の効果】
【０００４】
いま現在、プラスチックや木素材の使い捨てのスプーンが提供されている店舗でこの案が使われると、ゴミは可食コーンカップのスリーブと可食スプーン(0002)のスリーブだけになる。世界的に普及すればゴミの減量が見込める。可食コーンカップの好きな人にはそれを楽しむ機会が増える。従来、アイス部分をすくうトッピングとしてはウェハースが一般的だが、各地で提供されている色々なテイストのソフトクリームに合う新たな組み合わせが既存の菓子類のスプーン型成形により期待でき、アイスのトッピングとして改めて認識される可能性がある。一般に売り出せば家庭でも手軽にトッピングとしても楽しめる。
【図面の簡単な説明】
【０００５】
【図１】コテ風スプーン
【考案を実施するための形態】
【０００６】
スプーン型（あるいはフォーク型やコテ型）に成形する際、素材によっては厚さや固さを増す、あるいは飴やチョコレートを成形し可食コーンカップ素材で挟むなどの工夫が必要。すくう部分と柄の部分の幅はほぼ同じくらいにする。スプーンがなくても食べきれる可食コーンカップで提供される冷菓を想定しているので、それ以外の容器で使用する場合にはスプーンの長さなどにさらに考慮が必要。
【符号の説明】
【０００７】
（１）コテ：お好み焼きを食べる際に使われる小さいヘラ
（２）コーンチップ：とうもろこしの粉を原料とし、これを薄く焼いた菓子
（３）スリーブ：取っ手の部分に付ける（多くは紙製の）袋
【図１】
0003172139.tif 000003
【手続補正書】
【提出日】平成23年9月25日(2011.9.25)
【手続補正１】
【補正対象書類名】実用新案登録請求の範囲
【補正対象項目名】全文
【補正方法】変更
【補正の内容】
【実用新案登録請求の範囲】
【請求項１】
可食コーンカップ、クッキー、米菓、飴、コーンチップ、チョコレートをスプーン型やフォーク型やコテ型に成形した、柔らかい冷菓や柔らかい食品用の可食の食器。
(57)【要約】      （修正有）【課題】腕を振ることなく、指の屈折運動で風邪を起こさせる簡易型穴あきうちわを提供する。【解決手段】親指を除く指を入れることができる左右円形状の切り込みをもつ。うちわの素材は樹脂であり、上部が大きく下部が小さい円形状とする。【選択図】図４
0003172129.tif 000002
【実用新案登録請求の範囲】
【請求項１】
風を起こすために親指を除く指を入れることができる左右円形状等の切り込みをもつ簡易型穴あきうちわ。
【請求項２】
素材の樹脂の復元力を最大限に利用するために手のひらでうちわを支えることができる形状である。請求項１記載の簡易型穴あきうちわ。
【請求項３】
親指を除く指を入れる切込みは山折に折ることができるので指の内腹部を痛めることなく指の屈伸をすることができる。請求項１，２記載の簡易うちわ。
【考案の詳細な説明】
【技術分野】
【０００１】  本考案は、うちわに関するものである。
【背景技術】
【０００２】  従来の簡易型穴あきうちわは、一部の特殊な形状を除くと厚紙や耐久性のあるプラスチック製のものの下部に穴をあけ、親指を通して腕を振ることで風を起こすものが一般的であった。
【考案文献１】
特開２００７−１３５８５６
【考案の開示】
【考案が解決しようとする課題】
【０００３】  従来の穴あき式うちわでは腕を左右に振って風を起こすため、野球観戦やコンサートでは左右両隣りや前後など他の観客の間で使用するため大きな動作は回りに迷惑をかけるという問題があった。【０００４】  従来の穴あき式うちわでは腕を左右に振って風を起こすため腕が疲れやすいという問題があった。
【課題を解決するための手段】
【０００５】  素材には反発力のある樹脂を使用し、うちわ下部には親指を除く指が入るよう両端が円形状等の切り込みを入れる。下部の穴は山折で折り指を入れ、その指を受ける構造とする。【０００６】  また、うちわの下部は円形状で手のひらでうちわを受ける形状であり、円形状の下部でうちわを支え親指を除く指の屈折運動により樹脂製のうちわの反発力の効果を大きくすることで、腕を振ることなく風を起こすことができる。
【考案の効果】
【０００７】  本考案の簡易型穴あきうちわは腕を左右にふることなく風を起こせるので周りに迷惑をかけないですむ。【０００８】  腕をふることなく親指を除く指の屈折運動で風が起こせるので疲れが少ない。
【考案を実施するための最良の形態】
【０００９】以下添付図面に従って実施例を説明する。【００１０】図１はうちわの平面図である。うちわ下部１には親指以外の指を入れるための左右円形状等の切り込み２をいれる。使用時は切り込みを山折にして指をいれる。
またうちわ下部４は手のひらでうちわを支えるために楕円状の形とする。
この手のひら充て４により指の屈伸によるうちわの復元力が大きくなる。
材質は復元力のある耐久性プラスチック等を適宜素材により成型する。
素材に広告等を様々な方法により印刷することで販促品としての効果が期待できる。
【図面の簡単な説明】
【００１１】
【図１】簡易型穴あきうちわの平面図
【図２】簡易型穴あきうちわの側面図
【図３】簡易型穴あきうちわに指を入れた状態の側面図
【図４】簡易型穴あきうちわに指を入れ指を曲げた状態の全体斜視図
【符号の説明】
【００１２】１．うちわ本体
２．指入れ用切り込み
３．指支え
４．うちわ下部支え
【図１】
0003172129.tif 000003
【図２】
0003172129.tif 000004
【図３】
0003172129.tif 000005
【図４】
0003172129.tif 000006
【手続補正書】
【提出日】平成23年9月3日(2011.9.3)
【手続補正１】
【補正対象書類名】実用新案登録請求の範囲
【補正対象項目名】全文
【補正方法】変更
【補正の内容】
【実用新案登録請求の範囲】
【請求項１】
風を起こすために親指を除く指を入れることができる左右円形状等の切り込みをもつ簡易型穴あきうちわ。
【請求項２】
うちわの素材は樹脂であり上部を大きく下部を小さく円形状としたことを特徴とする請求項１記載の簡易型穴あきうちわ。
【請求項３】
親指を除く指を入れる切込の指支えが山折りに折れることを特徴とする請求項１又は２記載の簡易型穴あきうちわ。
(57)【要約】      （修正有）【課題】タオルと組合わせる事が容易な形状のボディブラシとし、使用時にはタオルと当ボディブラシを組合わせて背中など手の届かない部分も容易に洗えるようにした。持ち運びも容易で衛生面でも良好なボディブラシを提供する。【解決手段】板状ボディブラシ本体の片面に植毛し、もう一方の片面にはブラシ本体左右に断面コの字形状となる屋根部１，３を設け、左右屋根部の間にブラシ本体より立ち上がった台形状の突起部２を設ける。さらに、タオルを前記左右屋根部、断面コの字形状となるではさみ、かつ、前記突起部で押し上げることでタオルを固定できるようにしてボディブラシを形成する。【選択図】図１
0003172124.tif 000002
【実用新案登録請求の範囲】
【請求項１】
単独でも手に持って体の各部を洗う事が可能なボディブラシであり、かつタオルと組合わせる事により背中の手の届かない部分も容易に洗えるボディブラシ。
【考案の詳細な説明】
【技術分野】
【０００１】  本製品は、浴室などで使用する体を洗うボディブラシに関する。
【背景技術】
【０００２】  従来のボディブラシは柄の付いた物が一般的で一部紐の付いた物もある。
【考案の概要】
【０００３】  従来の柄の付いたボディブラシは持ち運びに不便で背中を洗うのに力が伝わりにくいものだった。また紐の付いた物は衛生面に劣り紐で体をキズ付けるおそれがあった。
そこで、単独でも使用でき、かつ通常使用するタオルと組合せて使用可能なコンパクトなボディブラシとした。
【考案が解決しようとする課題】
【０００４】  タオルとボディブラシが簡単に組合せできるようボディブラシの形状を工夫した。
【課題を解決するための手段】
【０００５】  図１のようにボディブラシとタオルを組合せて使用できるようタオルをはさみ込む▲１▼、▲３▼を儲け、突起部▲２▼との摩擦によりタオルが抜けにくい構造とした。
単独で使用する場合、手に持ちやすくする為に図３のような凹部を作り持ちやすくした。
【図面の簡単な説明】
【０００６】
【図１】正面図
【図２】背面図
【図３】上面図
【図４】側面図
【図５】タオルと組合せた図
【図６】使用例
【図１】
0003172124.tif 000003
【図２】
0003172124.tif 000004
【図３】
0003172124.tif 000005
【図４】
0003172124.tif 000006
【図５】
0003172124.tif 000007
【図６】
0003172124.tif 000008
【手続補正書】
【提出日】平成23年9月16日(2011.9.16)
【手続補正１】
【補正対象書類名】実用新案登録請求の範囲
【補正対象項目名】全文
【補正方法】変更
【補正の内容】
【実用新案登録請求の範囲】
【請求項１】
板状ボディブラシ本体の片面に植毛し、もう一方の片面にはブラシ本体左右に断面コの字形状となる屋根部を設け、左右屋根部の間にブラシ本体より立ち上がった台形状の突起部を設け、タオルを前記左右屋根部、断面コの字形状となるではさみ、かつ、前記突起部で押し上げることでタオルを固定できる事を特徴とするボディブラシ。
(57)【要約】      （修正有）【課題】低消費電力、メンテナンスフリー、ＣＯ２削減、薄型かつ軽量の看板を提供する。【解決手段】アルミ若しくは鉄製の枠３の内側に２重に溝を作り、内側には有機ＥＬ照明板２を取り付け、外側には、デザインパネル１を差込む。枠については、従来通り、デザインパネルの交換が出来るように、ビス止め等で、一辺は取り外し可能に製作する。両面看板に関しては、枠の両面に溝を作り、上記を両面加工して製作する。またこの方法は、既設の看板にも、枠内にレールを作る事により、有機ＥＬ照明板を取り付ける事が可能となり、改修する事もできる。【選択図】図２
0003172121.tif 000002
【実用新案登録請求の範囲】
【請求項１】
薄型のアルミ、若しくは鉄製の枠に２重構造に溝を作り、内側には、有機ＥＬ照明板を光源として利用し取り付け、外側には従来同様のデザインパネルを差込取り付した薄型で、軽量の看板である。
【請求項２】
この手法は、従来の看板を加工する事によって、使用、改修可能な発明である事。
【考案の詳細な説明】
【技術分野】
【０００１】  本発明は有機ＥＬを光源とした看板に関するものである。
【背景技術】
【０００２】  従来の看板はアルミ、鉄製の枠の中に蛍光灯が数本仕込まれたものだった。
【考案の概要】
【考案が解決しようとする課題】
【０００３】  本発明は、電球の交換及びランニングコスト等のメンテナンスが高額にかかるとういう問題を解決する為に研究を進めた。
【課題を解決する為の手段】
【０００４】  上記問題を解決する為に現在注目される、有機ＥＬを光源とする事でこれまで高額にかかったメンテナンスが無くなり、低消費電力で、ＣＯ２削減でき、薄型かつ軽量の物が出来る事を発明した。
【発明の効果】
【０００５】  本発明の看板が普及する事によって、地球全体の消費電力、ＣＯ２を削減し、店舗等でこれまでかかっていたメンテナンス料が削減出来ることにより、経営の負担も削減できる。さらに、高速道路の看板全てが、この有機ＥＬ看板に変わる事によって、高速道路無料化も夢では無くなると確信している。
【図面の簡単な説明】
【０００６】
【図１】有機ＥＬ照明の構造を示す立面図である。
【図２】有機ＥＬ照明を取り付けた看板の断面図である。
【図３】両面看板に用いた場合の断面図である。
【発明を実施する為の形態】
【０００７】  本発明の実施形態について図面を参照して説明する。図２の（３）のアルミ若しくは鉄製の枠に表側から、二重に溝を作り、内側の溝部に有機ＥＬ照明板（２）を取り付け、外側の溝には、従来通りのデザインパネル（１）を取り付ける仕組みである。構造は至って簡易ではあるが、薄型で、軽量の看板が製作可能となる。但しＤＣ電源が必要な為、薄型看板に関しては別途ＢＯＸ等を設けての設置となる。尚、両面看板に関しては、図３の様に、両面加工する。
【符号の説明】
【０００８】（１）デザインパネル
（２）有機ＥＬ照明板
（３）アルミ等の枠
【図１】
0003172121.tif 000003
【図２】
0003172121.tif 000004
【図３】
0003172121.tif 000005
【手続補正書】
【提出日】平成23年9月12日(2011.9.12)
【手続補正１】
【補正対象書類名】実用新案登録請求の範囲
【補正対象項目名】全文
【補正方法】変更
【補正の内容】
【実用新案登録請求の範囲】
【請求項１】
薄型のアルミ、若しくは鉄製の枠に２重構造に溝を作り、内側には、有機ＥＬ照明板を光源として利用し取り付け、外側にはデザインパネルを差込取り付けした薄型で、軽量の看板。
(57)【要約】      （修正有）【課題】球を打つときに、腕や手首、ゴルフクラブに与える負荷が小さいゴルフティーを提供する。【解決手段】置き型のゴルフティーと、固定用のゴムシートと、飛散防止用の紐を組み合わせる。【選択図】図１
0003172127.tif 000002
【実用新案登録請求の範囲】
【請求項１】
ゴルフ練習場で使用できる、ゴルフクラブで球を打つ瞬間の抵抗が小さく、安全な置き型の紐付きのティー。
【考案の詳細な説明】
【技術分野】
【０００１】  本考案は、ゴルフ練習場で使用出来る、球を打った時に腕や手首またゴルフクラブへ与える衝撃が小さい、安全な置き型のひも付きのティーに関するものである。
【背景技術】
【０００２】  従来のゴルフ練習場設置のティーは、ヘソティーやパーマネントティーと呼ばれる、芝マットの下から穴に差し込む交換式のゴム製ティーか、重りに付けたゴム製ティーか、電動で自動昇降が出来るゴム製ティーが大半である。
【考案の開示】
【考案が解決しようとする課題】
【０００３】  従来のゴルフ練習場設置のゴムティーは、沢山の方が使用しても耐えられるように丈夫にする必要がある為にゴムの厚みを厚目に作られている。そしてゴルフクラブで球を打つ瞬間はほとんどの場合ゴムティーにも接触するので抵抗が大きくあり、その為に腕や手首またゴルフクラブなどに対する負荷が大きかった。また、自動昇降型ティーアップ機では、球が出てくるティーの周辺が古くなってくると窪んでしまった所が多く、球が出てくる穴自体も大き目に開いているので、特にフェアウエーウッドのようにティーを低くして使用する場合、ボールの下側を打つとさらに抵抗が大きくなり腕や手首またゴルフクラブに対して大きな負荷が掛かった。その為に知らず知らずの間に腕や手首またゴルフクラブを痛めてしまうこともあり、打った球も抵抗が大きいが故にヘッドスピードが減速されてしまい実際よりも飛距離が出ないことが多々ある。このことを解決することが課題である。
【課題を解決するための手段】
【０００４】  この課題を解決するために、平らなマットの上に置くだけのティーを使用することにする。そうすることでインパクトの時に、従来のようにマットの穴に差し込むゴムティーのような大きな抵抗と衝撃もなく、また、古くなってきた自動昇降型自動ティーアップ機にありがちな、ティー周辺が窪んできたティーを使用する場合とは違って、平らなマットの上に置くだけのティーなので、打つ瞬間にティーから受ける腕や手首またゴルフクラブへの負荷が非常に小さくなる。また少々ボールの手前を打ってもゴルフクラブがティーや穴に引っ掛かる心配もない。そして置き型ティーを使用した場合、ティー自体が前へボールと一緒に飛んで行く恐れがあるが、置き型ティーへひもを付けその反対側に板状のゴム板を結び付ける。そしてそのゴム板を芝マットの下へ敷いてしまうか、重りを上から乗せるか、ゴムの板をマグネットシートにすることによって球入れ機へ貼り付ける事で置き型ティーが飛んで行く事を防ぐ。このような置き型ティーにすることによって、この課題を解決することにした。
【考案の効果】
【０００５】  この考案によって、ゴルフ練習場で球を打つ時に、ティーによる抵抗がほとんど無くゴルフクラブを振り抜く事が出来るようになるので、腕や手首、またゴルフクラブにも衝撃や負荷が掛からずに安全にゴルフの練習が出来るようになる。その他にもゴルフコースで実際に球を打つ感覚に近い条件で球を打つことが出来るので、より実践的な練習が出来るようになる。
【考案を実施するための最良の形態】
【０００６】  この考案を実施するためには、軽くて摩擦抵抗が小さな置き型のティーを、ポリエチレンやプラスチック樹脂、またビニールなどのナイロン系の素材で製作し、簡単にボールがのせられる形状にする。それを、穴をあけた板状のゴムシートに紐で結びつけ、そのゴムシートを練習場の芝マットや打席ゴムマットの下に敷き、ゴルフクラブで球を打っても、球をのせる置き型ティー自体は紐でゴムシートに繋げて飛んでいかない様にして使用する。紐で結んだゴムシートは練習場打席に置いてある重し付きティーの重しを上に乗せて動かない様にしても良いでしょうし、シート自体をマグネットシートにすることによって近くの鉄金属部分に貼り付けて使用してもよい。ほか、ゴムシートの形はハート型や花の形、また動物や昆虫、星形などにすることによって見た目の楽しさもアップすることが出来る。
【産業上の利用可能性】
【０００７】  現在の日本国内でのゴルファー人口は、何百万人とも言われています。世界では、その数十倍のゴルファーがいると思われます。そのゴルファーのほとんどがゴルフ練習場でボールを打つ練習をしています。その時にティーを使用して練習するケースが多々あります。そんなゴルファー全員が対象となる為に、産業上の利用可能性はある。
【図面の簡単な説明】
【０００８】
【図１】  本考案の面図である。
【符号の説明】
【０００９】１  置き型ティー（主にフェアウエーウッド、アイアン用）である。
２  置き型ティー（主にドライバー用）である。
３  ゴムシート（マグネットシートでも可）である。
４  置き型ティーとゴムシートを繋ぐ紐である。
５  置き型ティーとゴムシートを繋ぐ紐である。
【図１】
0003172127.tif 000003
【手続補正書】
【提出日】平成23年9月16日(2011.9.16)
【手続補正１】
【補正対象書類名】実用新案登録請求の範囲
【補正対象項目名】全文
【補正方法】変更
【補正の内容】
【実用新案登録請求の範囲】
【請求項１】
▲１▼置き型のゴルフティー▲２▼固定用のゴムシート▲３▼飛散防止用の紐これらを組み合わせたゴルフ練習場マットで使用するゴムシートに紐で結び付けた置き型のゴルフティー